(57)【要約】【課題】視覚障害者がエレベータを利用する際の操作の負担を軽減することが可能なエレベータシステムを提供する。【解決手段】エレベータシステム１０は、視覚障害者Ｍに保持され、視覚障害者であることを示す視覚障害者情報が記憶された情報内蔵手段３５と、エレベータの乗り場操作盤３０に設けられ、情報内蔵手段３５から視覚障害者情報を読み取る情報読取手段３３とを備えている。情報読取手段３３に、視覚障害者向けの制御と通常の制御との間でエレベータの制御内容を切り換える制御部２５が接続されている。制御部２５は、情報読取手段３３が情報内蔵手段３５から視覚障害者情報を読取った場合に、エレベータの制御内容を通常の制御から視覚障害者向けの制御に切り換えるようになっている。【選択図】図１
2010064886.tif 000002
【特許請求の範囲】
【請求項１】
視覚障害者が利用するエレベータシステムにおいて、
視覚障害者に保持され、視覚障害者であることを示す視覚障害者情報が記憶された情報内蔵手段と、
エレベータの乗り場操作盤に設けられ、前記情報内蔵手段から前記視覚障害者情報を読み取る情報読取手段と、
前記情報読取手段に接続され、視覚障害者向けの制御と通常の制御との間でエレベータの制御内容を切り換える制御部とを備え、
前記制御部は、前記情報読取手段が前記情報内蔵手段から前記視覚障害者情報を読取った場合に、エレベータの制御内容を通常の制御から視覚障害者向けの制御に切り換えることを特徴とするエレベータシステム。
【請求項２】
前記乗り場操作盤近傍に、エレベータの操作に関する操作情報を指で入力するデータ入力装置と、前記データ入力装置に入力された操作情報を音声で通知する音声発生手段とが設けられ、
前記制御部は、前記データ入力装置に入力された前記操作情報に基づいてエレベータを制御することを特徴とする請求項１記載のエレベータシステム。
【請求項３】
前記制御部は、前記データ入力装置に前記操作情報が入力され、その後前記情報読取手段が前記情報内蔵手段から前記視覚障害者情報を読取った場合に、当該操作情報に基づいてエレベータを制御することを特徴とする請求項２記載のエレベータシステム。
【請求項４】
前記制御部は、前記情報読取手段が前記情報内蔵手段から前記視覚障害者情報を読取った後、所定時間内に前記データ入力装置に前記操作情報が入力された場合、エレベータの制御内容を視覚障害者向けの制御のまま維持し、前記所定時間内に前記データ入力装置に前記操作情報が入力されなかった場合、エレベータの制御内容を通常の制御に戻すことを特徴とする請求項２または３記載のエレベータシステム。
【請求項５】
前記情報読取手段が前記情報内蔵手段から前記視覚障害者情報を読取った場合、または前記データ入力装置に前記操作情報が入力された場合、前記情報読取手段または前記データ入力装置は、前記制御部に当該情報読取手段または当該データ入力装置の位置に関する位置情報を送信し、
前記制御部は、前記情報読取手段または前記データ入力装置からの前記位置情報に基づいてエレベータを制御することを特徴とする請求項２乃至４のいずれか一項記載のエレベータシステム。
【請求項６】
前記情報内蔵手段に記憶された前記視覚障害者情報は、前記情報内蔵手段を保持する視覚障害者が盲導犬を連れているか否かの盲導犬情報を含み、
前記制御部は、前記情報読取手段が前記情報内蔵手段から前記盲導犬情報を読取った場合に、エレベータの制御内容を盲導犬使用視覚障害者向けの制御に切り換えることを特徴とする請求項１乃至５のいずれか一項記載のエレベータシステム。
【発明の詳細な説明】
【技術分野】
【０００１】
本発明は、視覚障害者が利用するエレベータシステムに係り、とりわけ視覚障害者がエレベータを利用する際の操作の負担を軽減することが可能なエレベータシステムに関する。
【背景技術】
【０００２】
一般に、視覚障害者が安全に歩行するための手段として、危険箇所や進行方向を認識するために路面に施された点字ブロック、交差点の音による報知手段、路面や進行方向の状況を検知できる白杖や盲導犬等が挙げられる。また、視覚障害者が表示内容を確認できるようにするために、公共施設等において、点字や大きな文字による表示がなされている。しかしながら、視覚障害者が一人で外出する場合は、視覚障害者が目的地に至るまでの経路や施設の状況を事前に調べ、移動における障害を解消することが欠かせない。
【０００３】
ところで、視覚障害者が一人で通常のエレベータを利用する場合、以下のような行動をとることが一般的である。まず、点字ブロック等により誘導されてエレベータの乗り場に到着した視覚障害者は、乗り場の乗り場操作盤を手探りで探す。次に乗り場操作盤に設けられた上行ボタンまたは下行ボタンを操作する。エレベータの乗りかごが到着した後、視覚障害者は、ドアが開いたことを確認し、さらにかご内に乗り込むために、ドアの位置を確認する。しかしながら、ドアの位置を確認するのに時間を要するとドアが閉まってしまったり、さらに他の階床からのかご呼びにより、エレベータの乗りかごが出発してしまう場合もある。
【０００４】
視覚障害者は、乗りかご内に乗り込んだとしても、その後で乗りかご内に設けられたかご内操作盤およびかご内操作盤に並べられた目的階ボタンを探す必要がある。その後、視覚障害者は、正しい目的階ボタンを押し、乗りかごが目的階に到着した後、周りに気を配りながら、乗りかごから乗り場へ降りる。しかしながら、停止階が多い場合は、目的階ボタンも多いため、手の感触で目的階ボタンを探すことは非常に時間を要す作業となる。この間、他の階からかご呼びがなされると、視覚障害者が行先階を指定する前に乗りかごが動き出してしまうおそれがある。
【０００５】
近年、このような問題に対して、ユニバーサルデザインの思想により、乗り場および乗りかご内部の各ボタンの文字を大きくしたり、あるいはボタンに表示された文字または記号に凹凸が施したりすることが行われている。これにより、エレベータのボタンが見易くなり、あるいは手触りによる確認がし易くなってきており、視覚障害者にとって利用しやすいエレベータが増えてきている。
【０００６】
しかしながら、このような改善がなされていても、乗り場に設置された乗り場操作盤の上行ボタンおよび下行ボタン、または乗りかご内にあるかご内操作盤に並べられた行先階ボタンを手探りで探す作業は、依然として必要である。さらに、視覚障害者が初めての場所ないしは事前に調べられない場所でエレベータを利用する場合、乗り場操作盤の位置、かご内操作盤の位置、および行先階ボタンの数が予測できないこと、またユニバーサルデザイン化や点字が施されているか等の情報が分からないことから、視覚障害者にとって不安を感じる要素が多い。
【０００７】
一方、視覚障害者向けのエレベータに関する技術として、以下のものが存在する。特許文献１では、盲導犬使用者向けの乗り場操作盤を設け、この乗り場操作盤が操作された場合に視覚障害者向けの運転に切替えるシステムを開示している。また、盲導犬を誘導する手段として、犬笛に相当する周波数の音波が用いられている。特許文献２では、点字プレートにタッチスイッチを組み込み、タッチスイッチによりエレベータの制御を視覚障害者向けに切替える装置を示している。特許文献３では、乗り場操作盤およびかご内の行先階ボタンを上述したように手触りで探す時の動作を検知し、この場合にエレベータの制御を視覚障害者向けに切替える技術が開示されている。特許文献４では、臭いにより盲導犬を誘導する機能を有する装置が示されている。
【特許文献１】特開２００４−３０７１９６号公報
【特許文献２】特開平４−２２３９８１号公報
【特許文献３】特開２００１−２３３１号公報
【特許文献４】特開２００６−２５６８００号公報
【発明の開示】
【発明が解決しようとする課題】
【０００８】
現在、視覚障害者に対応した上記技術が公開されているが、視覚障害者がエレベータを操作する際の負担を軽減するための技術は見当たらない。視覚障害者の操作の負担を軽減することができれば、視覚障害者が目的地へ向かう経路のうち少なくともエレベータに関する障害を緩和することができると考えられる。
【０００９】
本発明はこのような点を考慮してなされたものであり、視覚障害者がエレベータを利用する際の操作の負担を軽減することが可能なエレベータシステムを提供することを目的とする。
【課題を解決するための手段】
【００１０】
本発明は、視覚障害者が利用するエレベータシステムにおいて、視覚障害者に保持され、視覚障害者であることを示す視覚障害者情報が記憶された情報内蔵手段と、エレベータの乗り場操作盤に設けられ、前記情報内蔵手段から前記視覚障害者情報を読み取る情報読取手段と、前記情報読取手段に接続され、視覚障害者向けの制御と通常の制御との間でエレベータの制御内容を切り換える制御部とを備え、前記制御部は、前記情報読取手段が前記情報内蔵手段から前記視覚障害者情報を読取った場合に、エレベータの制御内容を通常の制御から視覚障害者向けの制御に切り換えることを特徴とするエレベータシステムである。
【００１１】
本発明は、前記乗り場操作盤近傍に、エレベータの操作に関する操作情報を指で入力するデータ入力装置と、前記データ入力装置に入力された操作情報を音声で通知する音声発生手段とが設けられ、前記制御部は、前記データ入力装置に入力された前記操作情報に基づいてエレベータを制御することを特徴とするエレベータシステムである。
【００１２】
本発明は、前記制御部は、前記データ入力装置に前記操作情報が入力され、その後前記情報読取手段が前記情報内蔵手段から前記視覚障害者情報を読取った場合に、当該操作情報に基づいてエレベータを制御することを特徴とするエレベータシステムである。
【００１３】
本発明は、前記制御部は、前記情報読取手段が前記情報内蔵手段から前記視覚障害者情報を読取った後、所定時間内に前記データ入力装置に前記操作情報が入力された場合、エレベータの制御内容を視覚障害者向けの制御のまま維持し、前記所定時間内に前記データ入力装置に前記操作情報が入力されなかった場合、エレベータの制御内容を通常の制御に戻すことを特徴とするエレベータシステムである。
【００１４】
本発明は、前記情報読取手段が前記情報内蔵手段から前記視覚障害者情報を読取った場合、または前記データ入力装置に前記操作情報が入力された場合、前記情報読取手段または前記データ入力装置は、前記制御部に当該情報読取手段または当該データ入力装置の位置に関する位置情報を送信し、前記制御部は、前記情報読取手段または前記データ入力装置からの前記位置情報に基づいてエレベータを制御することを特徴とするエレベータシステムである。
【００１５】
本発明は、前記情報内蔵手段に記憶された前記視覚障害者情報は、前記情報内蔵手段を保持する視覚障害者が盲導犬を連れているか否かの盲導犬情報を含み、前記制御部は、前記情報読取手段が前記情報内蔵手段から前記盲導犬情報を読取った場合に、エレベータの制御内容を盲導犬使用視覚障害者向けの制御に切り換えることを特徴とするエレベータシステムである。
【発明の効果】
【００１６】
本発明によれば、視覚障害者が情報内蔵手段を情報読取手段に近づけることにより、情報読取手段が視覚障害者情報を読取り、制御部は、エレベータの制御内容を通常の制御から視覚障害者向けの制御に切り換える。これにより、視覚障害者が簡単な作業を行うだけで、エレベータの制御内容を視覚障害者向けの制御に切り換えることができ、視覚障害者がエレベータを利用する際の操作の負担を軽減することができる。
【発明を実施するための最良の形態】
【００１７】
第１の実施の形態
以下、本発明の第１の実施の形態について、図１乃至図４を参照して説明する。
ここで、図１は、エレベータシステムの全体構成を示す概略図であり、図２は、乗りかごの内部を示す図である。図３は、本実施の形態によるエレベータシステムの乗り場操作盤を示す図であり、図４は、本実施の形態において、視覚障害者が情報内蔵手段を情報読取手段にかざした状態を示す図である。
【００１８】
まず、図１により、エレベータシステム全体の構成について説明する。図１に示すように、エレベータシステム１０は、各階の乗り場２０を有する建屋１５内に設けられた昇降路１１と、一対のガイドレール１４ａ、１４ｂに案内されて昇降路１１内を昇降する乗りかご１２とを有している。また乗りかご１２の前面に、左右方向に開閉する一対のかごドア１２Ｌ、１２Ｒが設けられている。さらに乗りかご１２に、メインロープ１７を介してカウンターウエイト１８が連結されている。なお図１において、乗りかご１２は複数設けられているが、便宜上１つの乗りかご１２のみを図示している。
【００１９】
昇降路１１の頂部には機械室１６が設置されている。この機械室１６内には、乗りかご１２およびカウンターウエイト１８を昇降路１１内で昇降させる巻上機１３が設置されている。また、機械室１６内にはエレベータシステム１０全体を制御する制御部２５が設けられている。
【００２０】
一方、各階の乗り場２０には、各乗りかご１２に対応してドア装置２１、２２が設けられている。各ドア装置２１、２２は、それぞれ左右方向に開閉する一対の乗り場ドア２１Ｌ、２１Ｒおよび一対の乗り場ドア２２Ｌ、２２Ｒを有している。また各ドア装置２１、２２の側方には、乗り場操作盤３０が設けられている。この乗り場操作盤３０の構成については後述する。
【００２１】
図１中、符号Ｍは、このエレベータシステム１０を利用する視覚障害者である。視覚障害者Ｍは、視覚障害者であることを示す視覚障害者情報が記憶されたＩＣチップを含むＩＣカード（情報内蔵手段）３５を保持している。このような情報内蔵手段３５としては、例えば盲導犬利用者が外出時に所持する盲導犬使用認定証等が挙げられる。しかしながら、情報内蔵手段３５は、それを所持している人が視覚障害者であることを示すものであれば、特に限定されない。
【００２２】
次に、図２により、上述した乗りかご１２内部の構成について説明する。図２に示すように、乗りかご１２内部において、かごドア１２Ｌ、１２Ｒの側方に、かご内操作盤２３が設けられている。かご内操作盤２３には、各階に対応した目的階ボタン２４が複数配置されている。また乗りかご１２内部の天井には、乗りかご１２内の乗客に対して音声を伝達するかご内音声案内装置２６が設けられている。なお、かご内音声案内装置２６は、上述した制御部２５に接続されている。
【００２３】
次に、図３により、上述した乗り場操作盤３０の構成について説明する。図３に示すように、乗り場操作盤３０に、上昇する乗りかご１２を呼ぶための上行ボタン３１と、下降する乗りかご１２を呼ぶための下行ボタン３２とが設けられている。
【００２４】
上行ボタン３１と下行ボタン３２との間には、情報内蔵手段３５から視覚障害者情報を読み取る情報読取手段３３が設置されている。この情報読取手段３３は制御部２５に接続されており、制御部２５は、後述するように、情報読取手段３３が情報内蔵手段３５から視覚障害者情報を読取った場合に、エレベータの制御内容を通常の制御から視覚障害者向けの制御に切り換えるように構成されている。
【００２５】
次に、このような構成からなる本実施の形態の作用について述べる。
【００２６】
まず、乗り場２０に到着した視覚障害者Ｍは、乗り場操作盤３０を手探りで探し当て、乗り場操作盤３０に情報読取手段３３があることを発見する。情報読取手段３３が存在することにより、視覚障害者Ｍは、これから利用するエレベータシステム１０が視覚障害者向けのエレベータであることを認識する。
【００２７】
次に視覚障害者Ｍは、情報内蔵手段３５を情報読取手段３３にかざすことにより、情報内蔵手段３５の視覚障害者情報を情報読取手段３３に読み取らせる（図４参照）。次に、情報読取手段３３は、視覚障害者情報を読み取ったことを制御部２５に送信する。この際、制御部２５は、エレベータの制御内容を通常の制御から視覚障害者向けの制御に切り換える。
【００２８】
ここで、視覚障害者向けの制御とは、例えば、乗り場２０に設置された音声発生装置を介して、乗り場２０で待機する全ての乗客に対して視覚障害者がエレベータを利用する旨アナウンスする制御等、視覚障害者Ｍが乗りかご１２に乗降しやすいように補助するための制御をいう。このほか視覚障害者向けの制御としては、かご内音声案内装置２６を介して、該当する乗りかご１２内の乗客に対して視覚障害者がエレベータを利用する旨アナウンスしたり、あるいは、視覚障害者Ｍに利用しやすいように、該当する乗りかご１２のかごドア１２Ｌ、１２Ｒを開放する時間を長くしたりする制御等が挙げられる。
【００２９】
このように本実施の形態によれば、視覚障害者Ｍが情報内蔵手段３５を情報読取手段３３に近づけることにより、情報読取手段３３が視覚障害者情報を読取り、制御部２５は、エレベータの制御内容を通常の制御から視覚障害者向けの制御に切り換える。これにより、視覚障害者Ｍが簡単な操作を行うだけで、エレベータの制御内容を視覚障害者向けの制御に切り換えることができ、視覚障害者Ｍがエレベータを利用する際の操作の負担を軽減することができる。
【００３０】
第２の実施の形態
次に図５乃至図９により本発明の第２の実施の形態について説明する。
図５は、本実施の形態によるエレベータシステムの乗り場操作盤を示す図であり、図６は、本実施の形態によるエレベータシステムの作用を示すフロー図である。図７は、本実施の形態において、視覚障害者がデータ入力装置に操作情報を入力している状態を示す図であり、図８は、本実施の形態によるエレベータシステムの作用の変形例１を示すフロー図である。図９は、本実施の形態によるエレベータシステムの作用の変形例２を示すフロー図である。図５乃至図９に示す第２の実施の形態は、データ入力装置および音声発生手段が設けられている点が異なるものであり、他の構成は上述した第１の実施の形態と略同一である。図５乃至図９に示す第２の実施の形態において、図１乃至図４に示す第１の実施の形態と同一部分には同一の符号を付して詳細な説明は省略する。
【００３１】
図５に示すように、乗り場操作盤３０近傍に、エレベータの操作に関する操作情報を指で入力するデータ入力装置３４と、データ入力装置３４に入力された操作情報を音声で通知する音声発生手段３６とが設けられている。
【００３２】
このうちデータ入力装置３４は、例えば、指で書かれた情報を認識可能なタッチパッドから構成されている。このデータ入力装置３４は、指で入力された情報を電気信号に変換して制御部２５に送信する機能を有している。一方、音声発生手段３６は、制御部２５に接続されており、乗り場２０で待機する視覚障害者Ｍおよび他の乗客に聞こえるように音声を発生する機能を有している。
【００３３】
なおエレベータの操作に関する操作情報とは、例えば、視覚障害者Ｍがこれから向かおうとする行先階の数値（例えば３、７等）、あるいは視覚障害者Ｍが、上行エレベータに乗ろうとしているのか下行エレベータに乗ろうとしているのか（例えば上、下等）等の情報が挙げられる。なお、以下において、操作情報とは行先階の数値であるとして説明する。
【００３４】
次に、このような構成からなる本実施の形態の作用について、図６および図７を用いて述べる。
【００３５】
まず、乗り場２０に到着した視覚障害者Ｍは、乗り場操作盤３０を手探りで探し当て、乗り場操作盤３０に情報読取手段３３があることを発見する。情報読取手段３３が存在することにより、視覚障害者Ｍは、これから利用するエレベータシステム１０が視覚障害者向けのエレベータであることを認識する。
【００３６】
次に視覚障害者Ｍは、情報内蔵手段３５を情報読取手段３３にかざすことにより、情報内蔵手段３５の視覚障害者情報を情報読取手段３３に読み取らせる（図６のステップＳ１）。次に、情報読取手段３３は、視覚障害者情報を読み取ったことを制御部２５に送信する。続いて、制御部２５は、エレベータの制御内容を通常の制御から視覚障害者向けの制御に切り換える（図６のステップＳ２）。
【００３７】
この場合、視覚障害者向けの制御とは、上述したもののほか、例えばデータ入力装置３４に行先階が入力される準備を行うためにデータ入力装置３４を作動させる制御等を含んでいる。なお、この場合、通常の制御の際にはデータ入力装置３４を使用できないようにしておいても良い。
【００３８】
次に視覚障害者Ｍは、データ入力装置３４の位置を確認し、このデータ入力装置３４にこれから向かおうとする行先階（例えば「４」）を指で記入する（図６のステップＳ３）（図７参照）。
【００３９】
この際、データ入力装置３４は、この情報を電気信号に変換して制御部２５に送信する。続いて制御部２５は、データ入力装置３４に入力された行先階（例えば「４」）に基づいて、エレベータを制御する。具体的には、制御部２５は、音声発生手段３６により視覚障害者Ｍに対して行先階（例えば４階）を音声で知らせる（図６のステップＳ４）。これにより視覚障害者Ｍは、入力された行先階を音声で確認することができる（図６のステップＳ５）。
【００４０】
仮にこの行先階が誤っている場合、視覚障害者Ｍは、データ入力装置３４に行先階を再度入力する（図６のステップＳ３に戻る）。
【００４１】
一方、行先階が正しい場合、視覚障害者Ｍは、データ入力装置３４を軽くたたくことにより、行き先階の入力を完了する（図６のステップＳ６）。このようにして行先階の情報が制御部２５に保存される（図６のステップＳ７）。
【００４２】
次に、制御部２５は、視覚障害者Ｍがいる乗り場２０に向かう乗りかご１２を選定する。この際、制御部２５は、上述したように行先階の情報を保存しているが、まだ行先階を確定しないようにしておく。これは、乗りかご１２が複数台設けられている場合、他の利用者に誘導されることにより、視覚障害者Ｍが、制御部２５が選定した乗りかご１２以外の乗りかご１２に乗り込む場合があるからである。
【００４３】
このような場合を考慮して、選定された乗りかご１２が到着する前に、音声発生手段３６は、選定された乗りかご１２を知らせるアナウンスを行う（図６のステップＳ８）。
【００４４】
次に、視覚障害者Ｍは、アナウンスに基づいてこれから乗り込む乗りかご１２（以下、該当する乗りかご１２ともいう）を確認する（図６のステップＳ９）。次いで、視覚障害者Ｍは、再度情報内蔵手段３５を情報読取手段３３にかざし、情報内蔵手段３５からの視覚障害者情報を情報読取手段３３に読取らせる。このことにより、視覚障害者Ｍが該当する乗りかご１２に乗り込むことが確定する（図６のステップＳ１０）。またこれとともに、制御部２５は、上述した行先階の情報を確定する（図６のステップＳ１１）。
【００４５】
なお、上述した該当する乗りかご１２を確認した後（図６のステップＳ９）、視覚障害者Ｍが情報内蔵手段３５を情報読取手段３３にかざすことなく所定時間が経過した場合（図６のステップＳ１５）、制御部２５は、エレベータの制御内容を視覚障害者向けの制御から、通常の制御に戻すことが好ましい（図６のステップＳ１６）。
【００４６】
次に、制御部２５は、該当する乗りかご１２に対して上述した行先階の情報を伝達する。これにより、該当する乗りかご１２内のかご内音声案内装置２６を介して、視覚障害者Ｍが利用する旨のアナウンスが流される。また視覚障害者Ｍがいる乗り場２０においても、音声発生手段３６を介して、視覚障害者Ｍが利用する旨のアナウンスが流される（図６のステップＳ１２）。
【００４７】
その後、該当する乗りかご１２が視覚障害者Ｍのいる乗り場２０に到着する（図６のステップＳ１３）。そして、視覚障害者Ｍは、該当する乗りかご１２に乗り込む（図６のステップＳ１４）。乗り込んだ後、視覚障害者Ｍは、目的階ボタン２４を操作することなく、希望する行先階（例えば４階）に運ばれる。
【００４８】
このように本実施の形態によれば、データ入力装置３４を用いて行先階を予め登録しておくので、乗り場操作盤３０およびかご内操作盤２３で行う操作を集約することができる。したがって、視覚障害者Ｍが乗りかご１２に乗り込んだ後、かご内操作盤２３を探しかつ目的階ボタン２４を操作する作業が不要となり、視覚障害者Ｍの操作の負担が軽減されるので、視覚障害者Ｍが安心してエレベータを利用することができる。
【００４９】
なお、情報読取手段３３が情報内蔵手段３５から視覚障害者情報を読取った際（図６のステップＳ１）、予め情報読取手段３３が、当該情報読取手段３３の位置に関する位置情報を制御部２５に送信しておくことが好ましい。あるいは、データ入力装置３４に操作情報が入力された際（図６のステップＳ３）、予めデータ入力装置３４が、当該データ入力装置３４の位置に関する位置情報を制御部２５に送信しておいても良い。ここで、位置情報とは、当該情報読取手段３３または当該データ入力装置３４の位置に関する情報（例えば１階の乗り場の右から２番目の位置等）をいう。
【００５０】
この場合、制御部２５は、情報読取手段３３またはデータ入力装置３４からの位置情報に基づいてエレベータを制御する。例えば、上述したように、該当する乗りかご１２を視覚障害者Ｍに知らせる際（図６のステップＳ８）、音声発生手段３６を介して前記位置情報に基づいたアナウンスを行うことができる。具体的には、制御部２５は、操作された情報読取手段３３またはデータ入力装置３４を基準にして、右側の乗りかご１２が到着するのか、あるいは左側の乗りかご１２が到着するのかを音声発生手段３６を介してアナウンスすることができる。
【００５１】
また、制御部２５は、情報読取手段３３またはデータ入力装置３４からの位置情報に基いて、当該乗りかご１２内および視覚障害者Ｍがいる乗り場２０へ視覚障害者Ｍが利用する旨アナウンスを行う際（図６のステップＳ１２）、的確な情報を伝えることができる。
【００５２】
（変形例１）
なお、本実施の形態において、図８に示すように、情報読取手段３３が情報内蔵手段３５から視覚障害者情報を読取り（図８のステップＳ１）、これに伴って、制御部２５がエレベータの制御内容を通常の制御から視覚障害者向けの制御に切り換える（図８のステップＳ２）。その後、所定時間内にデータ入力装置３４に操作情報が入力されない場合（図８のステップＳ１７）、制御部２５は、エレベータの制御内容を視覚障害者向けの制御から、通常の制御に戻すことが好ましい（図８のステップＳ１８）。これに対して、所定時間内にデータ入力装置３４に操作情報が入力された場合、制御部２５は、エレベータの制御内容を視覚障害者向けの制御のまま維持することが好ましい（図８のステップＳ１９）。
【００５３】
このような構成により、例えば視覚障害者Ｍが何らかの理由によりエレベータの利用を中止した場合、所定時間後に視覚障害者向けの制御が解除される。したがって、制御部２５が、操作されるまで必要以上に長く待機し、その間機能が停滞することを防止することができる。
【００５４】
（変形例２）
また、本実施の形態において、情報内蔵手段３５に記憶された視覚障害者情報は、情報内蔵手段３５を保持する視覚障害者Ｍが盲導犬を連れているか否かという盲導犬情報を含んでいても良い。この場合、図９に示すように、制御部２５は、情報読取手段３３が情報内蔵手段３５から視覚障害者情報を読取った後（図９のステップＳ２０）、制御部２５は、視覚障害者情報に盲導犬情報が含まれるか否かを判断する（図９のステップＳ２１）。
【００５５】
視覚障害者情報に盲導犬情報が含まれている場合、すなわち情報読取手段３３が視覚障害者情報に含まれる盲導犬情報を読取った場合、制御部２５は、視覚障害者Ｍが盲導犬を連れていると判断し、エレベータの制御内容を盲導犬使用視覚障害者向けの制御に切り換える（図９のステップＳ２２）。その後、制御部２５は、該当する乗りかご１２内にいる乗客に対して、かご内音声案内装置２６を介して盲導犬の存在をアナウンスする。また、乗り場２０にいる乗客に対しても、音声発生手段３６を介して盲導犬の存在をアナウンスする。
【００５６】
他方、制御部２５は、情報読取手段３３が視覚障害者情報に含まれる盲導犬情報を読取らなかった場合、視覚障害者Ｍが盲導犬を連れていないと判断し、エレベータの制御内容を上述した（通常の）視覚障害者向けの制御に切り換える（図９のステップＳ２３）。
【００５７】
このような構成により、乗りかご１２または乗り場２０に、例えばアレルギーの観点等から盲導犬を敬遠する乗客がいたとしても、アナウンスにより盲導犬の存在を予め知らせておくことができるので、このような乗客に対して不利益にならないようにすることができる。
【図面の簡単な説明】
【００５８】
【図１】図１は、本発明によるエレベータシステムの全体構成を示す概略図。
【図２】図２は、乗りかごの内部を示す図。
【図３】図３は、本発明の第１の実施の形態によるエレベータシステムの乗り場操作盤を示す図。
【図４】図４は、本発明の第１の実施の形態において、視覚障害者が情報内蔵手段を情報読取手段にかざした状態を示す図。
【図５】図５は、本発明の第２の実施の形態によるエレベータシステムの乗り場操作盤を示す図。
【図６】図６は、本発明の第２の実施の形態によるエレベータシステムの作用を示すフロー図。
【図７】図７は、本発明の第２の実施の形態において、視覚障害者がデータ入力装置に操作情報を入力している状態を示す図。
【図８】図８は、本発明の第２の実施の形態によるエレベータシステムの作用の変形例１を示すフロー図。
【図９】図９は、本発明の第２の実施の形態によるエレベータシステムの作用の変形例２を示すフロー図。
【符号の説明】
【００５９】
１０        エレベータシステム
１１        昇降路
１２        乗りかご
１２Ｌ、１２Ｒ  かごドア
１３        巻上機
１４ａ、１４ｂ  ガイドレール
１５        建屋
１６        機械室
１７        メインロープ
１８        カウンターウエイト
２０        乗り場
２１、２２  ドア装置
２１Ｌ、２１Ｒ、２２Ｌ、２２Ｒ  乗り場ドア
２３        かご内操作盤
２４        目的階ボタン
２５        制御部
２６        かご内音声案内装置
３０        乗り場操作盤
３１        上行ボタン
３２        下行ボタン
３３        情報読取手段
３４        データ入力装置
３５        情報内蔵手段
３６        音声発生手段
【図１】
2010064886.tif 000003
【図２】
2010064886.tif 000004
【図３】
2010064886.tif 000005
【図４】
2010064886.tif 000006
【図５】
2010064886.tif 000007
【図６】
2010064886.tif 000008
【図７】
2010064886.tif 000009
【図８】
2010064886.tif 000010
【図９】
2010064886.tif 000011